(57)【特許請求の範囲】
【請求項１】
壁体を構築する壁体構築方法であって、
底版上にコンクリート製のプレキャストブロックを配置して壁体底部を形成するとともに、前記壁体底部の上方部分をコンクリートにより形成し、前記壁体底部のプレキャストブロックと前記壁体底部の上方部分を通る第１の縦方向の緊張材によりプレストレスを導入することで壁体を構築し、
前記プレキャストブロックは、両端を前記プレキャストブロックに定着した第２の縦方向の緊張材により、前記底版上への配置前に予めプレストレスが導入されていることを特徴とする壁体構築方法。
【請求項２】
前記プレキャストブロックは、前記底版に形成された、前記プレキャストブロックの厚さより大きな幅を有する溝の上に配置され、
前記溝と前記プレキャストブロックの間の隙間に充填材を充填することを特徴とする請求項１記載の壁体構築方法。
【請求項３】
前記プレキャストブロックと前記底版を連結材により連結することを特徴とする請求項２記載の壁体構築方法。
【請求項４】
前記壁体は円筒状であり、
前記プレキャストブロックは前記壁体の周方向に複数並べて配置され、
前記壁体に周方向のプレストレスが導入されることを特徴とする請求項１から請求項３のいずれかに記載の壁体構築方法。
【請求項５】
前記プレキャストブロックは、鉛直方向に沿った内側側面と、鉛直方向に対して傾斜する傾斜部分を含む外側側面を有し、
前記第２の縦方向の緊張材として、前記傾斜部分に沿って配置されたＰＣ鋼材を有することを特徴とする請求項１から請求項４のいずれかに記載の壁体構築方法。
【請求項６】
前記第２の縦方向の緊張材として、前記内側側面に沿って配置されたＰＣ鋼材を更に有することを特徴とする請求項５に記載の壁体構築方法。
【請求項７】
前記壁体底部の上方部分がコンクリート製のプレキャストブロックにより形成され、
前記壁体底部のプレキャストブロックの縦方向の長さは、前記上方部分のプレキャストブロックの縦方向の長さよりも大きいことを特徴とする請求項１から請求項６のいずれかに記載の壁体構築方法。
【請求項８】
前記壁体底部のプレキャストブロックの縦方向の長さは、前記上方部分のプレキャストブロックの横方向の長さと同じであり、
前記壁体底部のプレキャストブロックの横方向の長さは、前記上方部分のプレキャストブロックの縦方向の長さと同じであることを特徴とする請求項７に記載の壁体構築方法。
【請求項９】
前記壁体底部の上方部分がコンクリート製のプレキャストブロックにより形成され、
前記壁体底部のプレキャストブロックの上面に設けられた穴に、前記上方部分のプレキャストブロックの下面に設けられた鉄筋を挿入し、両プレキャストブロックの間に間詰材による目地を形成し、
前記上方部分のプレキャストブロックの下面には、前記鉄筋を前記穴に挿入する前に保湿のためのプライマーが塗布されることを特徴とする請求項１から請求項８のいずれかに記載の壁体構築方法。
【請求項１０】
底版上にコンクリート製のプレキャストブロックを配置して形成された壁体底部と、コンクリートにより形成された前記壁体底部の上方部分と、を有する壁体であって、
前記壁体底部のプレキャストブロックと前記壁体底部の上方部分を通る第１の縦方向の緊張材によりプレストレスが導入され、
前記プレキャストブロックは、両端を前記プレキャストブロックに定着した第２の縦方向の緊張材によりプレストレスが導入されたものであることを特徴とする壁体。
【発明の詳細な説明】
【技術分野】
【０００１】
本発明は、プレキャストブロックを用いた壁体構築方法、および壁体に関する。
【背景技術】
【０００２】
LNG（液化天然ガス）、LPG（液化石油ガス）などの液体を貯留する設備として、PC（プレストレストコンクリート）タンクが用いられることがある。
【０００３】
図１３は、PCタンクとして、LNGを貯留するLNGタンク１００の例を示したものである。LNGタンク１００は、地盤７中の杭４で支持された底版５上に防液堤２を設け、その内側に鋼板等による内槽３ａと外槽３ｂを設けたものである。LNGは内槽３ａにて貯留し、内槽３ａと外槽３ｂの間に断熱材を配置して保冷を行う。
【０００４】
防液堤２は、内槽３ａが破損した場合にLNGの外部への液漏れを防ぐために設けられる壁体であり、通常円筒状である。防液堤２はLNGの液圧に耐え得る構造とする必要があり、そのため周方向および縦方向の緊張材（不図示）によるプレストレスが導入される。
【０００５】
防液堤２に周方向のプレストレスを導入することで液圧に抵抗できるが、防液堤２は、常時はタンク内部から液圧がかかっていない状態にある。このため、防液堤２の壁体底部では、周方向のプレストレスによりタンク内側方向の曲げモーメントが加わり、ひび割れ等の原因となる恐れがある。
【０００６】
これを抑制するため、防液堤２の壁体底部に縦方向のPC鋼材を別に設けて追加のプレストレスを導入し、補強を行うことがある（例えば、特許文献１、２参照）。
【０００７】
図１４はこれを説明する図である。図１４（ａ）の例では壁体底部２ａのタンク外側の側面が傾斜しており、この傾斜に沿って設けたPC鋼材１２により縦方向のプレストレスが導入される。以降、タンク外側の側面を外側側面といい、タンク内側の側面を内側側面というものとする。PC鋼材１２の下端部は底版５内に定着部１３で定着され、上端部は壁体底部２ａの上面に定着部１３で定着される。壁体底部２ａの上方部分２ｂは、この上面から形成される。
【０００８】
図１４（ｂ）の例では、壁体底部２ａが上方部分２ｂに対してタンク外側方向へと増厚しており、この増厚部分に縦方向のPC鋼材１２が設けられる。PC鋼材１２の下端部は底版５内に定着部１３で定着され、上端部は壁体底部２ａの増厚部分の上面に定着部１３で定着される。
【先行技術文献】
【特許文献】
【０００９】
【特許文献１】特開2005-350092号公報
【特許文献２】特開2011-148530号公報
【発明の概要】
【発明が解決しようとする課題】
【００１０】
しかしながら、図１４（ａ）の例では、壁体底部２ａにPC鋼材１２によるプレストレスを導入した後でないと上方部分２ｂが形成できず、工期が長引く要因となる。
【００１１】
図１４（ｂ）の例では、壁体底部２ａにPC鋼材１２によるプレストレスを導入する前に上方部分２ｂを形成できるが、上方部分２ｂの施工作業等との兼ね合いや安全面などから、上方部分２ｂの形成中に壁体底部２ａにプレストレスを導入することが難しい。結果、防液堤２の構築完了を待って壁体底部２ａにプレストレスを導入することになり、同じく工期が長引く要因となる。
【００１２】
本発明は、施工容易かつ高品質な壁体を構築でき、工期短縮可能な壁体構築方法等を提供することを目的とする。
【課題を解決するための手段】
【００１３】
前述した課題を解決するための第１の発明は、壁体を構築する壁体構築方法であって、底版上にコンクリート製のプレキャストブロックを配置して壁体底部を形成するとともに、前記壁体底部の上方部分をコンクリートにより形成し、前記壁体底部のプレキャストブロックと前記壁体底部の上方部分を通る第１の縦方向の緊張材によりプレストレスを導入することで壁体を構築し、前記プレキャストブロックは、両端を前記プレキャストブロックに定着した第２の縦方向の緊張材により、前記底版上への配置前に予めプレストレスが導入されていることを特徴とする壁体構築方法である。
【００１４】
本発明では、予めプレストレスを導入したプレキャストブロックを用いて壁体底部を形成するので、壁体底部の補強のため前記したように壁体底部の形成後あるいは壁体全体の構築後に追加のプレストレスを導入する必要がなく、施工が容易であり工期を短縮できる。加えて、プレキャストブロックは工場で管理して製作されるので、壁体の品質も向上する。
【００１５】
また、前記プレキャストブロックは、前記底版に形成された、前記プレキャストブロックの厚さより大きな幅を有する溝の上に配置され、前記溝と前記プレキャストブロックの間の隙間に充填材を充填することが望ましい。
この場合、壁体底部で最もひび割れ等が起こりやすい底版上面に当たる位置に緊張材が配置された状態となり、壁体底部の耐力を高めることができる。
【００１６】
さらに、前記プレキャストブロックと前記底版を連結材により連結することが望ましい。
これによっても、壁体底部の耐力を高めることができる。
【００１７】
前記壁体は円筒状であり、前記プレキャストブロックは前記壁体の周方向に複数並べて配置され、前記壁体に周方向のプレストレスが導入されることが望ましい。
本発明は、壁体に周方向のプレストレスを導入するようなケースで特に効果的であり、このようなケースにおいて壁体底部を好適に補強できる。
【００１８】
前記プレキャストブロックは、鉛直方向に沿った内側側面と、鉛直方向に対して傾斜する傾斜部分を含む外側側面を有し、前記第２の縦方向の緊張材として、前記傾斜部分に沿って配置されたＰＣ鋼材を有することが望ましい。また、前記第２の縦方向の緊張材として、前記内側側面に沿って配置されたＰＣ鋼材を更に有することが望ましい。
加えて、前記外側側面の傾斜部分に沿って配置されたＰＣ鋼材の下端部は、前記プレキャストブロックの下端部で定着され、前記内側側面に沿って配置されたＰＣ鋼材の上端部は、前記プレキャストブロックの上端部で定着されることが望ましい。さらに、前記外側側面の傾斜部分に沿って配置されたＰＣ鋼材の上端部、および前記内側側面に沿って配置されたＰＣ鋼材の下端部は、前記プレキャストブロックの内部で定着されることが望ましい。
あるいは、前記第２の縦方向の緊張材として、縦方向の途中で前記プレキャストブロックの外側側面に向かって折れ曲がるＰＣ鋼材を有することも望ましい。
このように、プレキャストブロックの構成は様々に定めることができ、壁体底部に加わる力等に応じて適当なものとすればよい。
また、前記壁体底部の上方部分がコンクリート製のプレキャストブロックにより形成され、前記壁体底部のプレキャストブロックの縦方向の長さは、前記上方部分のプレキャストブロックの縦方向の長さよりも大きいことも望ましい。加えて、前記壁体底部のプレキャストブロックの縦方向の長さは、前記上方部分のプレキャストブロックの横方向の長さと同じであり、前記壁体底部のプレキャストブロックの横方向の長さは、前記上方部分のプレキャストブロックの縦方向の長さと同じであることも望ましい。
さらに、前記壁体底部の上方部分がコンクリート製のプレキャストブロックにより形成され、前記壁体底部のプレキャストブロックの上面に設けられた穴に、前記上方部分のプレキャストブロックの下面に設けられた鉄筋を挿入し、両プレキャストブロックの間に間詰材による目地を形成し、前記上方部分のプレキャストブロックの下面には、前記鉄筋を前記穴に挿入する前に保湿のためのプライマーが塗布されることも望ましい。
【００１９】
第２の発明は、底版上にコンクリート製のプレキャストブロックを配置して形成された壁体底部と、コンクリートにより形成された前記壁体底部の上方部分と、を有する壁体であって、前記壁体底部のプレキャストブロックと前記壁体底部の上方部分を通る第１の縦方向の緊張材によりプレストレスが導入され、前記プレキャストブロックは、両端を前記プレキャストブロックに定着した第２の縦方向の緊張材によりプレストレスが導入されたものであることを特徴とする壁体である。
【発明の効果】
【００２０】
本発明により、施工容易かつ高品質な壁体を構築でき、工期短縮可能な壁体構築方法等を提供することができる。
【図面の簡単な説明】
【００２１】
【図１】防液堤６を示す図
【図２】プレキャストブロック１０を示す図
【図３】壁体構築方法について説明する図
【図４】壁体構築方法について説明する図
【図５】防液堤６０を示す図
【図６】防液堤６１を示す図
【図７】プレキャストブロック１０ｂと防液堤６２を示す図
【図８】壁体構築方法について説明する図
【図９】壁体構築方法について説明する図
【図１０】壁体構築方法について説明する図
【図１１】プレキャストブロック１０ｄ、１０ｅを示す図
【図１２】プレキャストブロック１０ｆ、１０ｇ、１０ｈを示す図
【図１３】LNGタンク１００を示す図
【図１４】壁体底部２ａへのプレストレス導入について説明する図
【発明を実施するための形態】
【００２２】
以下、図面に基づいて本発明の好適な実施形態について詳細に説明する。
【００２３】
[第１の実施形態]
（１．防液堤６）
図１は本発明の第１の実施形態に係る防液堤６の一部を示す図である。防液堤６は、図１３等で説明したLNGタンクの防液堤であり、円筒状の壁体である。
【００２４】
防液堤６では、底版５上の壁体底部６ａがプレキャストブロック（以下、ブロックということがある）１０を用いて形成される。壁体底部６ａの上方部分６ｂはプレキャストブロック１０’を用いて形成される。
【００２５】
ブロック１０は縦長であり、ブロック１０’は横長である。ブロック１０の縦のサイズはブロック１０’の約２倍、ブロック１０の横のサイズはブロック１０’の約１／２となっている。例えばブロック１０のサイズは縦6.0m、横3.0m程度であり、ブロック１０’のサイズは縦3.0m、横6.0m程度である。
【００２６】
（２．プレキャストブロック１０）
図２はプレキャストブロック１０を示す図であり、ブロック１０の厚さ方向の断面構成を見たものである。ブロック１０は、縦長の矩形板状のコンクリート製の本体に、前記した追加のプレストレスをPC鋼材１２（緊張材）により予め導入したものである。PC鋼材１２としては、PC鋼棒やPC鋼線が用いられる。
【００２７】
PC鋼材１２は本体内部で縦方向に配置される。PC鋼材１２の上端部は、本体上面（上端部）の凹部１１に定着部１３で定着される。PC鋼材１２の下端部は、本体下面（下端部）の凹部１１に定着部１３で定着される。また本体内部には、防液堤６の周方向のPC鋼材を通すためのシース管１９や、防液堤６の縦方向のPC鋼材を通すためのシース管（不図示）も設けられる。
【００２８】
なお、前記のブロック１０’は、横長の矩形板状のコンクリート製の本体に、防液堤６の周方向のPC鋼材を通すためのシース管１９（後述の図４（ａ）参照）や、防液堤６の縦方向のPC鋼材を通すためのシース管（不図示）を設けて構成される。本体の厚さはブロック１０と同様である。ただし、ブロック１０のような事前のプレストレス導入は行わず、PC鋼材１２等は省略される。
【００２９】
（３．壁体構築方法）
次に、図３、４を参照して防液堤６を構築する壁体構築方法について説明する。
【００３０】
本実施形態では、図３（ａ）に示すように底版５に溝５ａが形成されており、予めプレストレスが導入されたブロック１０を、矢印に示すように溝５ａの上に配置する。溝５ａは防液堤６の周方向に連続しており、ブロック１０は防液堤６の周方向に沿って複数並べて配置される。
【００３１】
溝５ａの幅はブロック１０の厚さよりも大きく、図３（ｂ）に示すように、ブロック１０と溝５ａの間の隙間には無収縮コンクリート等による充填材２１が充填される。また、ブロック１０と底版５とが連結材１５により連結される。これによりブロック１０が底版５に固定される。なお、周方向に隣り合うブロック１０の間には無収縮コンクリート等の間詰材による目地２０（図１参照）が設けられる。こうしてブロック１０による壁体底部６ａが形成される。
【００３２】
次いで、図４（ａ）の矢印に示すようにブロック１０の上段にブロック１０’を配置する。ブロック１０’も防液堤６の周方向に沿って複数並べて配置され、周方向に隣り合うブロック１０’の間、および上下のブロック１０、１０’の間に目地２０（図１参照）が設けられる。
【００３３】
以下同様にしてブロック１０’を上段へと順に積層してゆくことで、図４（ｂ）に示すように壁体底部６ａの上方部分６ｂが形成され、その後、ブロック１０、１０’のシース管１９に通したPC鋼材３１の緊張により防液堤６に周方向のプレストレスが導入される。また、ブロック１０、１０’の縦方向のシース管（不図示）に通したPC鋼材（不図示）の緊張により、防液堤６に縦方向のプレストレスが導入される。
【００３４】
このようにして防液堤６が構築される。防液堤６には周方向のプレストレスが導入されており、タンクの空液時等には壁体底部６ａにタンク内側方向への曲げモーメントが加わる。しかし、壁体底部６ａは、縦方向のPC鋼材１２により追加のプレストレスを導入することで補強されているので、曲げモーメントによるひび割れ等を防ぐことができる。
【００３５】
以上説明したように、本実施形態によれば、予めプレストレスを導入したブロック１０を用いて壁体底部６ａを形成するので、壁体底部６ａの補強のため前記したように壁体底部６ａの形成後あるいは防液堤６の構築後に追加のプレストレスを導入する必要がなく、施工が容易であり工期を短縮できる。加えて、ブロック１０は工場で管理して製作されるので、防液堤６の品質も向上する。
【００３６】
また、ブロック１０は底版５の溝５ａの上に配置し、溝５ａとブロック１０の間の隙間に充填材２１を充填するので、上記した曲げモーメントによって壁体底部６ａに最もひび割れ等が起こりやすい底版上面に当たる位置にPC鋼材１２が配置された状態となり、またブロック１０と底版５を連結材１５で連結するので、壁体底部６ａの耐力を高めることができる。
【００３７】
しかしながら、本発明はこれに限らない。例えば、本実施形態ではブロック１０を底版５に固定したが、図５の防液堤６０に示すように壁体底部６ａのブロック１０をピン連結部３０によって底版５上にピン結合することも可能であり、この場合も防液堤６０の周方向のプレストレスに伴う曲げモーメント対策として有効である。
【００３８】
また、本実施形態では壁体底部６ａの上方部分６ｂをプレキャストブロック１０’で形成したが、現場打ちコンクリートにより形成することも可能である。さらに、本実施形態では防液堤６を構築する例を示したが、本発明は防液堤６に限らず各種の壁体に適用することが可能である。ただし、本発明は防液堤６のような円筒状の壁体に周方向のプレストレスを導入するケースで特に効果的であり、このようなケースにおいて壁体底部６ａを好適に補強できる。
【００３９】
以下、本発明の別の例について第２〜第５の実施形態として説明する。各実施形態は第１の実施形態と異なる点について説明し、同様の点については説明を省略する。また、第１の実施形態も含め、各実施形態の構成は必要に応じて組み合わせて用いることが可能である。
【００４０】
［第２の実施形態］
第２の実施形態に係る防液堤６１を図６に示す。第１の実施形態ではブロック１０を縦長としたが、第２の実施形態では、ブロック１０’と同様の縦横のサイズを有する、横長のプレキャストブロック１０ａを用いて壁体底部６ａを形成する。この場合も、ブロック１０ａには、両端部をブロック１０ａに定着した縦方向のPC鋼材（不図示）による追加のプレストレスが予め導入される。
【００４１】
縦方向の追加のプレストレスを導入する区間が短くて良い場合などでは、このようにブロック１０’と同様の横長のブロック１０ａを用いて壁体底部６ａを形成でき、第１の実施形態と同様の効果が得られる。ただし、壁体底部６ａに第１の実施形態のような縦長のブロック１０を用いる場合、縦方向の追加のプレストレスを導入する区間が長い場合にも対応でき、且つブロック１０を横に倒せばブロック１０’と同様のプロポーションとなり重量も同じであるので輸送面や施工面でも問題無いという利点がある。
【００４２】
［第３の実施形態］
第３の実施形態では、図７（ａ）に示すように上下複数段（図の例では２段）のプレキャストブロック１０ｂを一体とし、これを用いて壁体底部６ａを形成する。
【００４３】
個々のブロック１０ｂは横長であり、縦横のサイズがブロック１０’と同様である。本実施形態では、上下のブロック１０ｂに渡って配置された縦方向のPC鋼材１２により、上下のブロック１０ｂに予めプレストレスが導入される。PC鋼材１２の上端部は、上段のブロック１０ｂの本体上面の凹部１１に定着部１３で定着される。PC鋼材１２の下端部は、下段のブロック１０ｂの本体下面の凹部１１に定着部１３で定着される。
【００４４】
図７（ｂ）は、上下２段を一体としたブロック１０ｂを用い、防液堤６２の壁体底部６ａを形成した例である。第３の実施形態では、例えば、個々のブロック１０ｂを現場まで運んだ後、現場にてブロック１０ｂを上下に配置して上記したようにPC鋼材１２によるプレストレスを導入し、一体化して用いることができる。ブロック１０ｂの本体内には、PC鋼材１２を通すための縦方向のシース管（不図示）を設けておく。
【００４５】
横長のブロック１０ｂの場合でも、こうして上下複数段のブロック１０ｂを一体化して用いることで、縦方向の追加のプレストレスを導入する区間が長い場合にも対応でき、第１の実施形態と同様の効果が得られる。
【００４６】
[第４の実施形態]
次に、図８〜図１０を参照して本発明の第４の実施形態について説明する。第４の実施形態では、図８（ａ）に示すプレキャストブロック１０ｃを用いて壁体底部６ａを形成する。図８（ａ）はブロック１０ｃの外側側面を見たものである。図８（ｂ）、図９、図１０（ａ）、（ｂ）も同様である。
【００４７】
ブロック１０ｃでは、第１の実施形態と同様、両端部をブロック１０ｃに定着した縦方向のPC鋼材（不図示）による追加のプレストレスが予め導入されるほか、本体下面から鉄筋１６が突出し、本体上面に穴１７が設けられる。
【００４８】
壁体底部６ａの形成時には、第１の実施形態と同様、ブロック１０ｃが防液堤の周方向に複数並べて配置され、周方向に隣り合うブロック１０ｃの間に目地が設けられる。
【００４９】
ブロック１０ｃの配置時には、本体下面の鉄筋１６を溝５ａに形成された穴５ｂに挿入して溝５ａの上に配置し、図８（ｂ）に示すように、穴５ｂの内部も含めブロック１０ｃと溝５ａの間の隙間に充填材２１を充填する。連結材（不図示）によるブロック１０ｃと底版５の連結も前記と同様に行われる。
【００５０】
壁体底部６ａの上方部分６ｂの形成時には、図９に示すプレキャストブロック１０ｃ’をブロック１０ｃの上段に配置する。ブロック１０ｃ’は、事前のプレストレス導入が不要であり前記のPC鋼材等が省略されるほかはブロック１０ｃと略同様である。ブロック１０ｃ’の縦横のサイズ等も図９に示すものに限らない。
【００５１】
ブロック１０ｃ’の配置時には、予めブロック１０ｃの上面とブロック１０ｃ’の下面に保湿性のプライマー２０ａ、２０ｂを噴霧して塗布する。ブロック１０ｃ’については、地上で横に倒した状態でプライマー２０ｂの噴霧を行う。プライマー２０ａ、２０ｂは、例えば酢酸ビニル・エチレン共重合体系エマルジョンや、アクリル・スチレン共重合樹脂系エマルジョンである。なお、プライマー２０ａ、２０ｂは刷毛塗りでもよい。
【００５２】
これにより各面を吸水防止状態とし、後述する目地２０の形成時に、ブロック１０ｃ、１０ｃ’の吸水を防止することにより、間詰材として用いるモルタル等の水分が吸い取られるドライアウト現象によって水和反応が阻害され、硬化不良や付着不良を起こすのを防ぐ。
【００５３】
プライマー２０ａ、２０ｂの噴霧後、図１０（ａ）に示すように、ブロック１０ｃ’の本体下面の鉄筋１６をブロック１０ｃの本体上面の穴１７に挿入し、ブロック１０ｃ’をブロック１０ｃの上段に配置する。そして、穴１７の内部も含め上下のブロック１０ｃ、１０ｃ’の間に無収縮モルタル等の間詰材による目地２０を形成する。なお、間詰材を先にブロック１０ｃの上面と穴１７の内部に設けておき、後からブロック１０ｃの上段にブロック１０ｃ’を配置してもよい。先程と同様、ブロック１０ｃ’は防液堤の周方向に複数並べて配置し、周方向に隣り合うブロック１０ｃ’の間には目地が設けられる。
【００５４】
以下同様にして上段へと順にブロック１０ｃ’を積層してゆき、図１０（ｂ）に示すように壁体底部６ａの上方部分６ｂが形成される。３段目以降のブロック１０ｃ’を配置する場合にも、前記と同様、下段のブロック１０ｃ’の上面へのプライマー２０ａの塗布と、上段のブロック１０ｃ’の下面へのプライマー２０ｂの塗布は事前に行っておく。
【００５５】
第４の実施形態でも、第１の実施形態と同様の効果が得られる。また第４の実施形態では上段のブロック１０ｃ’の下面に吸水防止のためのプライマー２０ｂを塗布しており、これにより吸水防止状態を長時間維持し目地２０の品質を高めることができる。
【００５６】
すなわち、従来このようなケースでは水を噴霧しており、特に上段のブロック１０ｃ’の下面は、間詰時の逆打ち面となるため吸水防止措置をとることが重要であるが、通常、ブロック１０ｃ’を横に倒した状態で地上で水を噴霧する。これは、ブロック１０ｃ’を吊り上げた状態で下面に向かって水を上向きに噴霧するのは確実性・安全性上の問題があるためである。
【００５７】
しかしながら、上段のブロック１０ｃ’の下面への水の噴霧から、ブロック１０ｃ’の配置および上下のブロック１０ｃ、１０ｃ’間の間詰材の充填を行うまでは時間が掛かり（例えば１時間程度以上）、この間にブロック１０ｃ’の下面が乾燥してしまう恐れがある。そこで、本実施形態では、上段のブロック１０ｃ’の下面に水ではなく吸水防止効果のあるプライマー２０ｂを噴霧して吸水防止状態を数日持続するようにしている。なお、本実施形態では下段のブロック上面にもプライマー２０ａを塗布しているが、この面についてはプライマー２０ａの代わりに水を噴霧してもよい。
【００５８】
[第５の実施形態]
第５の実施形態として、壁体底部を形成するためのブロックの構成が異なる例を説明する。
【００５９】
図１１（ａ）のプレキャストブロック１０ｄは、本体の内側側面が鉛直方向に沿った面（以下、鉛直面という）である一方、本体の外側側面の上部が、鉛直方向に対して傾斜する傾斜部分１０１となっている。外側側面の下部は鉛直面である。
【００６０】
本体内には、縦方向のPC鋼材１２が傾斜部分１０１に沿って傾斜して配置される。PC鋼材１２の上端部は、ブロック１０ｄの本体上面の凹部１１に定着部１３で定着される。下端部は本体下面の凹部１１に定着部１３で定着される。
【００６１】
図１１（ｂ）のプレキャストブロック１０ｅは、図１１（ａ）のブロック１０ｄに対し、鉛直面である内側側面に沿った縦方向のPC鋼材１２をさらに配置した点で異なる。このPC鋼材１２の上端部は、ブロック１０ｅの本体上面の凹部１１に定着部１３で定着される。下端部は本体下面の凹部１１に定着部１３で定着される。
【００６２】
図１２（ａ）のプレキャストブロック１０ｆでは、本体の外側側面の縦方向の中間部分が傾斜部分１０１となっている。外側側面の上部と下部、および内側側面は鉛直面である。
【００６３】
本体内には、縦方向の２つのPC鋼材１２が設けられる。一方のPC鋼材１２は外側側面の傾斜部分１０１に沿って傾斜して配置される。このPC鋼材１２の下端部は本体下面の凹部１１に定着部１３で定着され、上端部は本体内に定着部１３で定着される。
【００６４】
他方のPC鋼材１２は鉛直面である内側側面に沿って配置され、上端部が本体上面の凹部１１に定着部１３で定着される。下端部は本体内に定着部１３で定着される。
【００６５】
図１２（ｂ）のプレキャストブロック１０ｇは、本体の形状が図１２（ａ）のブロック１０ｆと略同様であるが、本体内に縦方向のPC鋼材１２が１本設けられる。PC鋼材１２は縦方向の途中で外側側面に向かって折れ曲がっており、PC鋼材１２の上部は鉛直面である内側側面に沿って配置されるが、下部は外側側面に向かって傾斜する。PC鋼材１２の上端部は本体上面の凹部１１に定着部１３で定着され、下端部は本体下面の凹部１１に定着部１３で定着される。
【００６６】
図１２（ｃ）の左図のプレキャストブロック１０ｈは、図１２（ａ）のブロック１０ｆに対し、内側側面に沿って設けたPC鋼材１２が途中の折り返し部１２ａで折り返される点で異なる。右図に示すように、折り返し部１２ａではPC鋼材１２がＵ字状に折り返され、PC鋼材１２の両端部は本体上面の凹部１１に定着部１３で定着される。
【００６７】
これらのブロックを用いる場合も、第１の実施形態と同様の効果が得られる。このように、ブロックの構成は様々に定めることができ、壁体底部６ａに加わる力その他を考慮して適当なものとすればよい。
【００６８】
以上、添付図面を参照して本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６９】
１０、１０’、１０ａ、１０ｂ、１０ｃ、１０ｃ’、１０ｄ、１０ｅ、１０ｆ、１０ｇ、１０ｈ；プレキャストブロック
２、６、６０、６１、６２；防液堤
２ａ、６ａ；壁体底部
２ｂ、６ｂ；上方部分
３ａ；内槽
３ｂ；外槽
４；杭
５；底版
５ａ；溝
５ｂ、１７；穴
７；地盤
１１；凹部
１２；PC鋼材
１２ａ；折り返し部
１３；定着部
１６；鉄筋
１９；シース管
２０；目地
２０ａ、２０ｂ；プライマー
２１；充填材
１００；LNGタンク
１０１；傾斜部分
【図１】
0006484036.tif 000002
【図２】
0006484036.tif 000003
【図３】
0006484036.tif 000004
【図４】
0006484036.tif 000005
【図５】
0006484036.tif 000006
【図６】
0006484036.tif 000007
【図７】
0006484036.tif 000008
【図８】
0006484036.tif 000009
【図９】
0006484036.tif 000010
【図１０】
0006484036.tif 000011
【図１１】
0006484036.tif 000012
【図１２】
0006484036.tif 000013
【図１３】
0006484036.tif 000014
【図１４】
0006484036.tif 000015